(57)【要約】【課題】ロータリ羽根と同ロータリ羽根によって押進する移送物との摩擦、特に、移送物が穀類等の粒体である場合に、移送物とロータリ羽根との摩擦を防止し、移送物やロータリバルブ自体を損傷させることなく円滑に移送物を移送することができるロータリバルブを提供すること。【解決手段】上部にロータリケースへの移入を規制するための規制体を斜めに突設し、同規制体の先端縁が、ロータリ羽根を収納したロータリケースの移入口に面すると共に、ロータリ羽根先端の仮想軌跡近傍に位置するようにした。【選択図】　　図１
2004018209.tif 000002
【特許請求の範囲】
【請求項１】
上部にロータリケースへの移入を規制するための規制体を斜めに突設し、同規制体の先端縁が、ロータリ羽根を収納したロータリケースの移入口に面すると共に、ロータリ羽根先端の仮想軌跡近傍に位置するようにしたことを特徴とするロータリバルブ。
【請求項２】
前記規制体は、ロータリ羽根の回転方向と対向させたことを特徴とする請求項１記載のロータリバルブ。
【発明の詳細な説明】
【０００１】
【発明の属する技術分野】
本発明は、ロータリバルブに関するものである。
【０００２】
【従来の技術】
従来、ロータリバルブＸは、図５に示すように、横方向に伸延した円筒状のロータリケース１００の内部に、横方向に伸延した回転軸２００と、同回転軸２００に放射状に取り付けたロータリ羽根３００とを収納して、ロータリケース１００の内部をロータリ羽根３００によって複数の小室ｒに区切った構成となっていた。そして、ホッパー等の収納体Ｂの下端にロータリケース１００の上部を連通連設して、同ロータリケース１００の上部をロータリバルブＸへの移入口４００とする一方、ロータリケース１００の下部に排出口５００を配設していた。
【０００３】
上記従来のロータリバルブＸにおいては、ロータリバルブＸの上方に位置する前記収納体Ｂの内部に収納した移送物ａは、常に移入口４００を通ってロータリバルブＸの内部へと移入可能な状態にあり、ロータリ羽根３００の回動に伴って各小室ｒが移動する度ごとに、移入口４００の直下方に位置する小室ｒへと順次移入する一方、同小室ｒが排出口５００の直上方に移動したときに順次下方へと排出されていた。
【０００４】
【発明が解決しようとする課題】
しかし、上記従来のロータリバルブにおいては、ロータリケースの移入口全体に渡って移送物が満遍なく通過可能なので、移送物が気体や液体である場合は問題ないが、移送物が固体である場合、特に粒体である場合には、回動中の各ロータリ羽根が移入口の周縁近傍を通過する度ごとに、移送物がロータリ羽根の先端と移入口の周縁近傍のロータリケース内周面との間に挟まれて、移送物が破砕されてしまっていた。
【０００５】
しかも、移送物が米等の穀類であって、同穀類に洗浄等によって付着した水分が残留していた場合には、移送物である穀類が一層損傷しやすかった。
【０００６】
さらには、移送物を受け入れるロータリバルブ自体も、移送物との摩擦によってロータリ羽根の先端が摩耗したり、或いは、ロータリ羽根を回動させる動力源に過負荷がかかってしまったりしていた。
【０００７】
従って、移送物やロータリバルブ自体を損傷させることなく円滑に移送物を移送可能なロータリバルブが望まれていた。
【０００８】
【課題を解決するための手段】
そこで、本発明は、上部にロータリケースへの移入を規制するための規制体を斜めに突設し、同規制体の先端縁が、ロータリ羽根を収納したロータリケースの移入口に面すると共に、ロータリ羽根先端の仮想軌跡近傍に位置するようにしたことを特徴とするロータリバルブを提供せんとするものである。
【０００９】
また、前記規制体は、ロータリ羽根の回転方向と対向させたことにも特徴を有する。
【００１０】
【発明の実施の形態】
本発明にかかるロータリバルブは、ロータリ羽根を収納したロータリケースの上方に、同ロータリケースへの移入を規制するための規制体を斜めに突設し、同規制体の先端縁が、ロータリケースへの移入口に面すると共に、ロータリ羽根先端の仮想軌跡近傍に位置するようにしている。
【００１１】
従って、ロータリケースへ移送する移送物は、規制体によって一部邪魔されながらロータリケースの移入口からロータリ羽根とロータリ羽根との間の空間に移送されることとなり、同空間に満杯になるほどには充填されない。すなわち、ロータリ羽根とロータリ羽根との間の空間には、一部間隙を形成した状態で移送物が移入されることになる。
【００１２】
従って、移送物が固体、特に米等の粒体であったとしても、同移送物がロータリ羽根の先端部とロータリケースの内周面との間に挟まれて粉砕されることを防止することができる。
【００１３】
逆に、移送物を受け入れるロータリバルブ側も、前記規制体によってロータリケースの内部へ移入する移送物の流れを調整することにより移送物との摩擦が無くなるので、ロータリ羽根の先端の摩耗を防止することができると共に、ロータリ羽根を回動させる動力源に過負荷がかかるのを防止することができる。
【００１４】
なお、ロータリ羽根と同ロータリ羽根によって押進させる移送物との摩擦は、ロータリ羽根の先端が移入口の下方から移入口の周縁近傍のロータリケースの下方へと移動して、同ロータリケースの内周面に沿って摺動するときに最も大きくなるので、前記規制体は、ロータリ羽根の回転方向と対向させるのが望ましい。
【００１５】
かかる構成とすれば、前記移入口と同移入口の周縁近傍のロータリケースとの境界部の直上方に規制体を位置させることができ、ロータリケースの内部において、前記境界部に移送物が収納されていない間隙を形成して、ロータリ羽根の先端部とロータリケースの内周面との間に移送物が挟まれて粉砕されることを確実に防止することができる。
【００１６】
【実施例】
以下、本発明に係るロータリバルブの一実施例を図面に基づき説明する。なお、以下においては、米ａを収納したホッパーＢの下端にロータリバルブＡを取り付け、同ロータリバルブＡによって排出量を調整しながら、移送物である米ａを収納体であるホッパーＢの外部へ移送するものとして説明する。
【００１７】
図１は本発明に係るロータリバルブの一実施例を示す側面断面図、図２は同平面断面図であり、図示するように、本実施例におけるロータリバルブＡは、横方向に伸延する円筒状のロータリケース１の内部に、同じく横方向に伸延する回転軸２と同回転軸２に放射状に取り付けた回動自在なロータリ羽根３とを収納して、ロータリケース１の内部をロータリ羽根３によって複数の小室ｒ（空間）に区切っている。また、ロータリケース１の上部をホッパーＢの下端に連通連設して、ホッパーＢとの連通部であるロータリケース１の上部開口をロータリケース１への移入口４とする一方、ロータリケース１の下部に排出口５を配設している。
【００１８】
しかも、前記移入口４の上方となるホッパーＢの内周面の一側には、ホッパーＢからロータリバルブＡへの米ａの移入を規制する規制体である略矩形状の規制板６を斜めに突設して、同規制板６の先端縁６ａが、ロータリケース１の移入口４に面し、且つロータリケース１の内部に収納したロータリ羽根３の先端の仮想軌跡ｅ近傍に位置するようにしている。
【００１９】
また、規制板６は、ロータリ羽根３の回転方向ｃと対向する側に取り付けており、ロータリ羽根３が規制板６に向かって回動するようにしている。
【００２０】
本実施例におけるロータリバルブＡは上記構成であり、ロータリバルブＡとホッパーＢとが連通しているので、図１に示すように、ホッパーＢの内部に収納した米ａは、自動的に移入口４を通って同移入口４の直下方に位置する小室ｒの内部に移入する。
【００２１】
従って、ホッパーＢの内部に収納した米ａを上記ロータリバルブＡを介してホッパーＢの外部へ排出する場合は、ロータリ羽根３を回動させて、ホッパーＢの内部に収納した米ａを各小室ｒに順次移入させると共に、各小室ｒの内部の米ａをそれぞれロータリ羽根３で押進し、排出口５の直上方に移動した小室ｒから順次内部の米ａを排出口５を通して外部へと排出させるのである。
【００２２】
特に、本実施例では、ロータリケース１の移入口４の上方に規制板６を配設しているので、同移入口４を通ってホッパーＢからロータリ羽根３とロータリ羽根３との間の小室ｒへと移入する米ａは、前記規制板６によってその移入流路ｗが一部規制され、小室ｒに満杯になるほどには充填されない。すなわち、小室ｒに一部間隙ｇ１を残した状態で移入することになる。これにより、各小室ｒの内部の米ａが同米ａを押進するロータリ羽根３の先端部３ａとロータリケース１の内周面１ａとの間に挟まれて粉砕されることを防止することができる。
【００２３】
しかも、規制板６の先端縁６ａは、ロータリケース１の移入口４に面し、且つロータリケース１の内部に収納したロータリ羽根３の先端の仮想軌跡ｅ近傍に位置している。すなわち、規制板６の先端縁６ａとロータリ羽根３の先端の仮想軌跡ｅとが近接しているので、規制板６と同規制板６を取り付けたホッパーＢの内周面との間に形成される間隙ｇ２に米ａが侵入するのを防止し、前記小室ｒに間隙ｇ１を確保しやすくすることができると共に、ロータリ羽根３の回動を阻害することなく米ａの移入流路ｗを一部規制することができる。
【００２４】
さらに、前記規制板６は、ロータリ羽根３の回転方向ｃと対向させているので、移入口４と同移入口４の周縁近傍のロータリケース１との境界部１４の直上方を規制板６で被覆して、前記境界部１４に米ａが収納されていない間隙ｇ１，ｇ２を形成し、ロータリ羽根３の先端部３ａと移入口４の周縁近傍のロータリケース１の内周面１ａとの間に米ａが挟まれて粉砕されることを確実に防止することができる。
【００２５】
なお、規制板６は、米ａの含水率に応じてその取付角度θを調節可能とすることもできる。例えば、規制板６に水分センサを取り付けて、同水分センサで米ａの含水率を検知し、その検知した含水率に応じて別途設けた制御部で規制板６の取付角度θを調節可能とする。
【００２６】
かかる構成とすれば、含水率が高くなるにつれて摩擦による損傷を受け易くなる米ａのような物品を移送物とした場合でも、同移送物を損傷させることなくロータリバルブＡを通過させることができる。
【００２７】
すなわち、水分センサが高い含水率を検知した場合には、規制板６の取付角度θを大きくして、同規制板６の移入口４の上方への迫り出し幅を大きくし、前記間隙ｇ１，ｇ２を大きくすることにより、ロータリ羽根３の先端部３ａと移入口４の周縁近傍のロータリケース１の内周面１ａとの間に移送物が挟まれて粉砕されることを確実に防止することができる。
【００２８】
一方、水分センサが低い含水率を検知した場合には、移送物は摩擦による損傷を比較的受けにくくなるので、規制板６の取付角度θを小さくして、同規制板６の移入口４の上方への迫り出し幅を小さくし、前記間隙ｇ１，ｇ２を小さくすることができ、かかる制御を行うことにより、ロータリ羽根３の先端部３ａと移入口４の周縁近傍のロータリケース１の内周面１ａとの間に移送物が挟まれて粉砕されることを防止しつつも、移送物の移送量を増加させることができる。
【００２９】
図３及び図４には規制体の他実施例を示している。
【００３０】
この他実施例では、上記規制板６の代わりに略漏斗状の規制筒７を形成して、その上端周縁をホッパーＢの下端部の内周面に取り付けており、同規制筒７の先端縁７ａが、ロータリケース１の移入口４に面し、且つロータリケース１の内部に収納したロータリ羽根３の先端の仮想軌跡ｅ近傍に位置するようにしている。
【００３１】
従って、この他実施例においても、前記規制板６と同様に、ホッパーＢからその下方に位置するロータリケース１への米ａの移入流路ｗを一部規制し、米ａがロータリ羽根３の先端部３ａとロータリケース１の内周面１ａとの間に挟まれて粉砕されることを防止することができる。
【００３２】
特に、この他実施例では、移入口４と同移入口４の周縁近傍のロータリケース１との境界部１４の直上方を一周全て規制筒７で被覆しているので、同境界部１４に米ａが収納されていない間隙ｇ１，ｇ２を形成し、ロータリ羽根３の先端部３ａと移入口４の周縁近傍のロータリケース１の内周面１ａとの間に米ａが挟まれて粉砕されることを確実に防止することができる。
【００３３】
このように、規制体は、ロータリケース１への米ａの移入を規制可能な形状であれば様々な形状を採用することができる。
【００３４】
なお、以上においては、ロータリバルブＡは、ホッパーＢの排出流路上に配設したが、これに限らず、ロータリバルブＡは、各種流路上に配設することができる。
【００３５】
また、本実施例におけるロータリバルブＡは、上記米ａに代表される穀類を移送物とした場合に特に好適に用いることができ、同移送物を損傷させることなく流量を調整できるものであるが、移送物は穀類に限られず、固体（粒体）、液体、気体を問わず各種物品を移送物とすることができる。
【００３６】
【発明の効果】
本発明は上記のような形態で実施されるものであり、以下の効果を奏する。
【００３７】
（１）請求項１記載の本発明では、上部にロータリケースへの移入を規制するための規制体を斜めに突設し、同規制体の先端縁が、ロータリ羽根を収納したロータリケースの移入口に面すると共に、ロータリ羽根先端の仮想軌跡近傍に位置するようにしたので、ロータリケースの移入口からロータリ羽根とロータリ羽根との間の空間に移送された米が、ロータリ羽根の先端部とロータリケースの内周面との間に挟まれて粉砕されてしまうのを防止することができる。
【００３８】
（２）請求項２記載の本発明では、規制体をロータリ羽根の回転方向と対向させるようにしたので、ロータリ羽根の先端が移入口の下方から移入口の周縁近傍のロータリケースの下方へと移動して、同ロータリケースの内周面に沿って摺動するときに生じるロータリ羽根と移送物との摩擦を防止することができ、ロータリ羽根の先端部とロータリケースの内周面との間に移送物が挟まれて粉砕されることをより確実に防止することができる。
【図面の簡単な説明】
【図１】本発明に係るロータリバルブの一実施例を示す側面断面図である。
【図２】同平面断面図である。
【図３】他実施例としての規制体を示す側面断面図である。
【図４】同平面断面図である。
【図５】従来例としてのロータリバルブを示す側面断面図である。
【符号の説明】
Ａ　ロータリバルブ
ａ　移送物（米）
Ｂ　収納体（ホッパー）
ｃ　回転方向
ｅ　仮想軌跡
１　ロータリケース
２　回転軸
３　ロータリ羽根
４　移入口
５　排出口
６　規制板
７　規制筒
【図１】
2004018209.tif 000003
【図２】
2004018209.tif 000004
【図３】
2004018209.tif 000005
【図４】
2004018209.tif 000006
【図５】
2004018209.tif 000007